(57)【要約】【課題】照明器具を取り付けるに際して、所望の照射領域に調整できるような取り付けが可能な照明器具取付具を提供する。【解決手段】長手方向に延びた形状を有する照明器具１の長手方向両端部１０に取り付けられる照明器具取付具２であって、取付面に対して取り付けるための取付部２０と、長手方向両端部１０に対して取り付けるための器具固定部２１と、を備え、器具固定部２１は、照明器具１の照射方向を調整するための方向調整手段を備えている。方向調整手段は、照明器具１の長手方向に沿った中心軸周りに照明器具１を回転しながら調整できる機能を備えている。方向調整手段は、中心軸まわりに形成された円周方向に沿った調整用の長孔２２ａ，２２ｂ，２２ｃとして形成され、長孔２２ａ，２２ｂ，２２ｃを介してネジにより照明器具１を器具固定部２１に固定する。【選択図】図４
2012181930.tif 000002
【特許請求の範囲】
【請求項１】
長手方向に延びた形状を有する照明器具の長手方向両端部に取り付けられる照明器具取付具であって、
取付面に対して取り付けるための取付部と、
前記長手方向両端部に対して取り付けるための器具固定部と、を備え、
前記器具固定部は、照明器具の照射方向を調整するための方向調整手段を備えていることを特徴とする照明器具取付具。
【請求項２】
前記方向調整手段は、照明器具の長手方向に沿った中心軸周りに照明器具を回転しながら調整できる機能を備えていることを特徴とする請求項１に記載の照明器具取付具。
【請求項３】
前記方向調整手段は、前記中心軸まわりに形成された円周方向に沿った調整用の長孔として形成され、前記長孔を介してネジにより照明器具を前記器具固定部に固定することを特徴とする請求項２に記載の照明器具取付具。
【請求項４】
前記方向調整手段は、前記中心軸周りに形成された円周方向に沿った複数の係合部として形成され、前記長手方向両端部に形成された被係合部を選択的に前記係合部に係合可能に構成したことを特徴とする請求項２に記載の照明器具取付具。
【発明の詳細な説明】
【技術分野】
【０００１】
本発明は、長手方向に延びた形状を有する照明器具の長手方向両端部に取り付けられる照明器具取付具に関するものである。
【背景技術】
【０００２】
かかる照明器具として、例えば、トンネル等の曲壁面に取り付けられる照明器具がある（例えば、下記特許文献１）。かかる曲壁面に対して、照明器具取付具を用いて照明器具を取り付けるようにしている。すなわち、照明器具取付具は、曲壁面（取付面に相当）に対して取り付けられる取付部と、照明器具を固定して取り付けるための器具固定部と、を備えている。この器具固定部に対して、照明器具の長手方向両端部が取り付けられている。
【先行技術文献】
【特許文献】
【０００３】
【特許文献１】特開２０１０−２６７５１９号公報
【発明の概要】
【発明が解決しようとする課題】
【０００４】
しかしながら、従来における照明器具取付具には、次のような課題がある。照明器具により照明される領域は、光源の特性により決まってくるため、照明したい領域に合わせて照明器具を設置する必要がある。そのため、照明器具取付具も所望の照射領域になるように、照明器具を取り付けられるように構成している。
【０００５】
しかし、トンネルの曲壁面は、トンネルごとに異なるものであり、一律に照明器具取付具と照明器具の取り付け位置関係を固定してしまうと、所望の照明領域を照明できない事態が生じている。特に、光源がＬＥＤの場合は、前面方向への照射量が多いため、所望の方向へレンズ等を用いて集光させるか、拡散部材で照射範囲を拡散させるなどの対応を余儀なくされていた。
【０００６】
本発明は上記実情に鑑みてなされたものであり、その課題は、照明器具を取り付けるに際して、所望の照射領域に調整できるような取り付けが可能な照明器具取付具を提供することである。
【課題を解決するための手段】
【０００７】
上記課題を解決するため本発明に係る照明器具取付具は、長手方向に延びた形状を有する照明器具の長手方向両端部に取り付けられる照明器具取付具であって、
取付面に対して取り付けるための取付部と、
前記長手方向両端部に対して取り付けるための器具固定部と、を備え、
前記器具固定部は、照明器具の照射方向を調整するための方向調整手段を備えていることを特徴とするものである。
【０００８】
かかる構成による照明器具取付具の作用・効果を説明する。照明器具取付具は、取付部と器具固定部を備えており、取付部は、例えば、トンネル内の曲壁面のような取付面に対して取り付けられる。器具固定部には、照明器具の長手方向両端部が固定される。ここで、器具固定部には、方向調整手段の機能が設けられており、照明器具の照射方向を調整しながら取り付けを行うことができる。これにより、適切な方向に光を照射できる状態で照明器具を固定させることができる。その結果、照明器具を取り付けるに際して、所望の照射領域に調整できるような取り付けが可能な照明器具取付具を提供することができる。
【０００９】
本発明に係る前記方向調整手段は、照明器具の長手方向に沿った中心軸周りに照明器具を回転しながら調整できる機能を備えていることが好ましい。
【００１０】
かかる構成によると、照明器具を中心軸周りに回転しながら調整を行うことができる。例えば、照明器具の光源の状態（例えば、ＬＥＤの取り付け位置）を見ながら、調整を行うことができる。これにより、適切な照射領域を設定することができる。
【００１１】
本発明に係る前記方向調整手段は、前記中心軸まわりに形成された円周方向に沿った調整用の長孔として形成され、前記長孔を介してネジにより照明器具を前記器具固定部に固定することが好ましい。
【００１２】
この構成によると、ネジで固定する場合に、単純な丸孔ではなく円周方向に沿った長孔になっているので、照明器具を中心軸周りに回転させながら、適切な位置で長孔とネジにより、照明器具を器具固定部に固定させることができる。これにより、適切な照射領域を設定することができる。
【００１３】
本発明に係る前記方向調整手段は、前記中心軸周りに形成された円周方向に沿った複数の係合部として形成され、前記長手方向両端部に形成された被係合部を選択的に前記係合部に係合可能に構成したことが好ましい。
【００１４】
この構成によると、器具固定部には、円周方向に沿って複数の係合部が設けられている。照明器具を取り付けるときは、照明器具を中心軸回りに回転させながら、照明器具側の被係合部を複数の係合部のうちの選択された係合部に係合させる。これにより、適切な照射領域になるように、照明器具の位置決めを行うことができ、適切な照射領域を設定することができる。
【図面の簡単な説明】
【００１５】
【図１】トンネル内における照明器具の取り付け状態を説明する図
【図２】照明器具を照明器具取付具で曲壁面に取り付けるときの状態を示す図
【図３】照明器具取付具の構成を示す図
【図４】照明器具と照明器具取付具の取り付け構造を示す図
【図５】照明器具の取り付け角度の調整を示す図
【図６】第２実施形態にかかる照明器具取付具を示す図
【発明を実施するための形態】
【００１６】
本発明に係る照明器具取付具の好適な実施形態を図面を用いて説明する。図１は、トンネル内における照明器具の取り付け状態を説明する図である。トンネル内の曲壁面に照明器具１を取り付けた状態と、照射角度θを示している。照射領域は、トンネル内の道路をまんべんなく照明できるように設定される。照明器具としてＬＥＤを用いる場合は、その指向性のために、前方方向への照射量が多くなる。従って、照明器具の取り付け方向（照射角度θの設定）を適切に行わないと、所望の照明が行われなくなる。
【００１７】
図２は、照明器具１を照明器具取付具２で曲壁面に取り付けるときの状態を示す図である。照明器具１は、長手方向に沿って延びた形状（円筒形）を呈しており、その長手方向両端部１０に照明器具取付具２が取り付けられる。図３は、照明器具取付具２の構成を示す図であり、（ａ）側面図、（ｂ）平面図、（ｃ）底面図を夫々示している。照明器具取付具２は、ネジ３等の機械的手段により曲壁面等の壁面（取付面に相当）に取り付けられる。
【００１８】
＜照明器具取付具＞
図３に示すように、照明器具取付具２は、取付部２０と、器具固定部２１により構成されている。側面視において、取付部２０と器具固定部２１は互いに直角に設定されている。取付部２０には、取り付け用の２つの長孔２０ａと、中央にも長孔２０ｂが設けられている。これらの孔を利用して、曲壁面に対してネジ３により固定する。
【００１９】
器具固定部２１には、照明器具１側へ突出した突出部２２が形成されている。図３（ｂ）に示すように、器具固定部２１の中心には円形の中心孔２２ｄと、この中心孔２２ｄの周囲に円周方向に沿って３つの長孔２２ａ，２２ｂ，２２ｃ（方向調整手段に相当）が形成されている。長孔２２ａ，２２ｂ，２２ｃは、円弧状に形成されており、円周方向に沿って等ピッチで配置され、いずれも同一形状である。
【００２０】
中心孔２２ｄの中心は、照明器具１の中心軸と一致しており、長孔２２ａ，２２ｂ，２２ｃの円弧の中心も中心孔２２ｄの中心と同一である。これにより、照明器具１を中心軸周りに回転させながら位置調整を行うことができる。なお、長孔２２ａ，２２ｂ，２２ｃの個数や円周方向に沿った長さ等は、適宜変更することができる。
【００２１】
照明器具取付具２は、好ましくは金属製であり、プレス加工により製作することができる。ただし、樹脂成型により照明器具取付具２を製作しても良い。
【００２２】
＜照明器具の取り付け＞
次に、図４により、照明器具１と照明器具取付具２の取り付けについて説明する。照明器具１の長手方向両端部１０には、取付金具１１が設けられている。取付金具１１には、雌ねじ１１ａ，１１ｂ，１１ｃが３箇所設けられており、これは３つの長孔２２ａ，２２ｂ，２２ｃに対応している。照明器具１の長手方向両端部１０からはコード線５が出ており、中心孔２２ｄから引き出されて不図示の電源ラインへと接続される。
【００２３】
図４に示すように、長孔２２ａ，２２ｂ，２２ｃの角度はＡで示され、この範囲で照明器具１の取り付け角度を調整することができる。また、ネジ４を取り付ける長孔２２ａ，２２ｂ，２２ｃを変えれば３６０゜の範囲で角度調整することができる。例えば、雌ねじ１１ａと長孔２２ａを介してネジ止めするのではなく、雌ねじ１１ａと長孔２２ｂあるいは２２ｃを介してネジ止めすれば、１８０゜を超えた大きな範囲で調整することができる。
【００２４】
図５において、照射角度θが示されているが、方向調整手段を有していない従来の照射角度θは、固定されており、調整ができなかった。しかし、本発明の場合は、照射領域を調整することができる。たとえば、図５に示すθからθ’へと調整でき、その中間的な領域にも調整可能である。これにより、トンネル内の曲壁面の取り付け角度に関係なく、適切な照射領域を設置することができる。特に光源がＬＥＤの場合には、照射方向が前方に向いており、照射領域が限定されているが、かかる場合においても適切に照射領域を設定することができる。
【００２５】
＜第２実施形態＞
次に、第２実施形態にかかる照明器具取付具の構成を図６により説明する。照明器具１の長手方向両端部１０には、取付金具１２が設けられており、複数（６つ）の突出部１２ａ（被係合部に相当）が一体形成されている。突出部１２ａは円周方向に沿って等ピッチで形成されている。突出部１２ａの個数は適宜設定することができる。
【００２６】
一方、照明器具取付具２には、第１実施形態と同様に取付部２０と器具固定部２１が形成されている。この照明器具取付具２も好ましくは金属プレス加工により製作される。器具固定部２１には、円周方向に沿って６つの切り欠き２１ａ（係合部、方向調整手段に相当）が設けられる。この切り欠き２１ａにはちょうど突出部１２ａが係合するように構成されている。
【００２７】
この構成によると、切り欠き２１ａと突出部１２ａの組み合わせを選択することで、６０゜間隔で照明器具１の取り付け角度調整を行うことができる。
【００２８】
＜別実施形態＞
本発明に係る照明器具１の形状は円筒形（断面円形）に限定されるものではなく、断面が正方形、長方形等の形状であってもよい。
【００２９】
照明器具１の光源はＬＥＤに限定されるものではなく、蛍光灯等のほかの種類の光源を用いてもよい。
【００３０】
取付面は、トンネル内の曲壁面に限定されるものではなく、まっすぐな平面に取り付ける場合も本発明は応用できるものである。
【符号の説明】
【００３１】
１        照明器具
２        照明器具取付具
３        ネジ
１０      長手方向両端部
１１      取付金具
１２      取付金具
１２ａ    突出部
２０      取付部
２１      器具固定部
２１ａ    切り欠き部
２２      突出部
２２ａ，２２ｂ，２２ｃ    長孔
２２ｄ    中心孔
θ        照射角度
【図１】
2012181930.tif 000003
【図２】
2012181930.tif 000004
【図３】
2012181930.tif 000005
【図４】
2012181930.tif 000006
【図５】
2012181930.tif 000007
【図６】
2012181930.tif 000008